(57)【要約】【課題】使用された風量レベルにより集塵フィルタの交換時間を可変にして交換時期のフィルタの圧損をできるだけ同じレベルにすること。【解決手段】紫外線ランプ１２、光触媒フィルタ１３、集塵フィルタ１１の順にそれぞれの交換時間に到達しているかどうかを判断する（Ｓ３，Ｓ１２，Ｓ２１）。交換時間に到達している場合には該当の交換サイン１７を点滅させ（Ｓ４，Ｓ１３，Ｓ２３）、装置を強制停止させる（Ｓ２９）。交換サイン１７の表示時間内に入っている場合には（Ｓ５，Ｓ２０，Ｓ２２：ＹＥＳ）、他の交換時期が調整時間内に入っているかどうかを判断して（Ｓ６，Ｓ８，Ｓ１４，Ｓ１６，Ｓ２４，Ｓ２６）、入っている場合には該当の交換サイン１７を点灯させる（Ｓ７，Ｓ９，Ｓ１１，Ｓ１５，Ｓ１７，Ｓ１９，Ｓ２５，Ｓ２７，Ｓ３０）。集塵フィルタ１１の交換時間は、使用風量での運転時間を風量弱での運転時間に換算して算出する（Ｓ３８）。【選択図】　図３
2004033648.tif 000002
【特許請求の範囲】
【請求項１】
本体に形成された吸込口と吹出口とを結ぶ空気通路に、集塵フィルタと紫外線ランプと脱臭フィルタと送風ファンとを設け、前記吸込口から吸い込まれて前記吹出口より吹き出される空気の時間当たりの風量を切換える風量切換スイッチと、前記集塵フィルタを交換すべき時期を算出する集塵フィルタ交換時期算出手段と、その集塵フィルタ交換時期算出手段により算出された交換時期の所定期間前から交換時期の到来を報知する集塵フィルタ交換報知手段とを備えた空気清浄機において、
前記集塵フィルタ交換時期算出手段は、前記風量及びその風量での運転時間に基づいて交換時期を算出することを特徴とする空気清浄機。
【請求項２】
前記集塵フィルタ交換時期算出手段により算出された交換時期に到達したときに運転を停止させる停止制御手段を備え、
前記集塵フィルタ交換時期算出手段は、前記集塵フィルタ交換報知手段が交換時期到来の報知を行っている期間中は、前記運転時間のみに基づいて交換時期を算出することを特徴とする請求項１に記載の空気清浄機。
【請求項３】
前記紫外線ランプを交換すべき時期を算出する紫外線ランプ交換時期算出手段と、その紫外線ランプ交換時期算出手段により算出された交換時期の所定期間前から交換時期の到来を報知する紫外線ランプ交換報知手段と、前記脱臭フィルタを交換すべき時期を算出する脱臭フィルタ交換時期算出手段と、その脱臭フィルタ交換時期算出手段により算出された交換時期の所定期間前から交換時期の到来を報知する脱臭フィルタ交換報知手段とを備え、
前記集塵フィルタ交換時期算出手段が算出した交換時期と、前記紫外線ランプ交換時期算出手段が算出した交換時期もしくは前記脱臭フィルタ交換時期算出手段が算出した交換時期とが所定の期間内に重なって到来する場合には、前記集塵フィルタ交換報知手段及び前記紫外線ランプ交換報知手段もしくは前記脱臭フィルタ交換報知手段は、前記所定期間内に到来する最も早い交換時期に合わせて交換時期到来の報知を行うことを特徴とする請求項１又は２に記載の空気清浄機。
【発明の詳細な説明】
【０００１】
【発明の属する技術分野】
本発明は、空気清浄機に関するものである。
【０００２】
【従来の技術】
従来の空気清浄機としては、装置下部の吸込口から部屋内の空気を取り入れ、塵埃を集塵フィルタで捉えるとともに、紫外線ランプで殺菌し、光触媒フィルタにより悪臭成分を脱臭し、ファンにて吹出口から装置外へ清浄化された空気を吹き出すように構成されているものが知られている。
【０００３】
このような空気清浄機に設けられたスイッチパネル部には、運転のＯＮ／ＯＦＦの他、吸込み・吹き出す空気の量を操作者が指定する風量切換スイッチも設けられており、これらのスイッチの状態を装置内部のコントローラで判断してファンの回転数等を制御するようにしている。
【０００４】
集塵フィルタには、ＨＥＰＡフィルタ、ＵＬＰＡフィルタ等が用いられているが、これらは消耗品であり、塵埃が堆積してくると圧損が増えて風量が低下してしまうため、所定の使用時間を経過するとスイッチパネル部の交換サインが点灯し、交換を促すようにしている。定められた使用時間を超えて使用すると、集塵の性能が低下するので、所定時間に達すると装置本体を運転停止するようにしているものもある。
【０００５】
【発明が解決しようとする課題】
しかしながら、集塵フィルタの寿命は、使用される風量や使用される環境により大きく左右されるため、交換時期を一律に使用時間で決めてしまうと、実際に発生している圧損をうまく反映できず、性能が低下しているにもかかわらず交換されなかったり、まだ十分使用できるにもかかわらず交換してしまったりすることが起こる。
【０００６】
本発明は、上述の問題点を解決するためになされたものであり、使用された風量レベルにより集塵フィルタの交換時間を可変にして交換時期のフィルタの圧損をできるだけ同じレベルにすることを目的とする。
【０００７】
【課題を解決するための手段】
上記目的を達成するために、請求項１に記載の空気清浄機は、本体に形成された吸込口と吹出口とを結ぶ空気通路に、集塵フィルタと紫外線ランプと脱臭フィルタと送風ファンとを設け、前記吸込口から吸い込まれて前記吹出口より吹き出される空気の時間当たりの風量を切換える風量切換スイッチと、前記集塵フィルタを交換すべき時期を算出する集塵フィルタ交換時期算出手段と、その集塵フィルタ交換時期算出手段により算出された交換時期の所定期間前から交換時期の到来を報知する集塵フィルタ交換報知手段とを備えた空気清浄機において、前記集塵フィルタ交換時期算出手段は、前記風量及びその風量での運転時間に基づいて交換時期を算出することを特徴とする。
【０００８】
この構成の空気清浄機では、集塵フィルタ交換時期算出手段が、集塵フィルタを交換すべき時期の算出を、空気清浄機を通過する空気の時間当たりの風量とその風量での運転時間に基づいて行う。従って、風量の強弱に左右される集塵フィルタの捕集塵埃数を交換時期に反映させることができ、適切な圧損レベルで集塵フィルタの交換を行うことができる。
【０００９】
請求項２に記載の空気清浄機は、請求項１に記載の空気清浄機の構成に加え、前記集塵フィルタ交換時期算出手段により算出された交換時期に到達したときに運転を停止させる停止制御手段を備え、前記集塵フィルタ交換時期算出手段は、前記集塵フィルタ交換報知手段が交換時期到来の報知を行っている期間中は、前記運転時間のみに基づいて交換時期を算出することを特徴とする。
【００１０】
この構成の空気清浄機では、請求項１に記載の発明の作用に加え、交換時期が到来した時には空気清浄の性能が低下しているため装置の運転を停止させる。また、交換時期到来の報知を行っている期間中は、風量に基づく交換時期の算出を行わず、運転時間のみに基づいて交換時期を算出する。従って、報知期間中は交換時期が風量により可変にならないため、操作者は交換時期の予測が立てやすく、適切な時期にフィルタ交換等のメンテナンスを行うことができる。
【００１１】
請求項３に記載の空気清浄機は、請求項１又は２に記載の空気清浄機の構成に加え、前記紫外線ランプを交換すべき時期を算出する紫外線ランプ交換時期算出手段と、その紫外線ランプ交換時期算出手段により算出された交換時期の所定期間前から交換時期の到来を報知する紫外線ランプ交換報知手段と、前記脱臭フィルタを交換すべき時期を算出する脱臭フィルタ交換時期算出手段と、その脱臭フィルタ交換時期算出手段により算出された交換時期の所定期間前から交換時期の到来を報知する脱臭フィルタ交換報知手段とを備え、前記集塵フィルタ交換時期算出手段が算出した交換時期と、前記紫外線ランプ交換時期算出手段が算出した交換時期もしくは前記脱臭フィルタ交換時期算出手段が算出した交換時期とが所定の期間内に重なって到来する場合には、前記集塵フィルタ交換報知手段及び前記紫外線ランプ交換報知手段もしくは前記脱臭フィルタ交換報知手段は、前記所定期間内に到来する最も早い交換時期に合わせて交換時期到来の報知を行うことを特徴とする。
【００１２】
この構成の空気清浄機では、請求項１又は２に記載の発明の作用に加え、紫外線ランプや脱臭フィルタも定期的に交換が予定される消耗品であるため、可変である集塵フィルタの交換時期に他の交換時期が近い場合には、個々に交換時期の報知を行うのでなく、近いものをまとめて報知することにより、メンテナンスの手間と費用を抑えることができる。
【００１３】
【発明の実施の形態】
以下、本発明の実施形態について、図面に基づいて説明する。図１は空気清浄機１の概略を示した断面図、図２は、空気清浄機１の制御系の構成を示したブロック図、図３は、集塵フィルタ１１、紫外線ランプ１２及び光触媒フィルタ１３の交換時期算出・報知処理のフローチャートである。図１に示すように、本実施形態の空気清浄機１は、筐体２の正面パネル３の下方に吸込口４が形成され、上面に吹出口５が形成されている。筐体２の上方にスイッチパネル６が配設され、筐体内部のコントローラ７に接続されている。
【００１４】
筐体２内には、吸込口４と吹出口５とを連通させ、吹出口側に配設されたファン８により、吸込口４から吹出口５の方向へ空気を流通させる空気通路９が形成されている。空気通路９の吸込口４にはプレフィルタ１０が装着されている。空気通路の略中央には、空気通路９を横切って集塵フィルタ１１が嵌め込まれている。そして、集塵フィルタ１１の上方に紫外線ランプ１２が配設され、紫外線ランプのさらに上方には脱臭用の光触媒フィルタ１３が配設されている。
【００１５】
集塵フィルタ１１は、ＨＥＰＡフィルタ又はＵＬＰＡフィルタ等の高効率フィルタであり、ガラス繊維からなる濾材をプリーツ上に形成してなっている。また、紫外線ランプ１２は、集塵フィルタ１１の濾材のプリーツ方向に対して直交して配設されている。光触媒フィルタ１３は、紫外線ランプ１２により励起される酸化チタンを基材に保持してなる光触媒層により形成されている。
【００１６】
スイッチパネル６には、図２に示すように、起動用の運転スイッチ１４と、風量切替用の風量切替スイッチ１５と、風量切替スイッチ１５により切替えられた現在の風量を強、中、弱のＬＥＤを点灯して３段階で示す風量サイン１６と、集塵フィルタ１１、紫外線ランプ１２、光触媒フィルタ１３の交換時期が近づいた場合にＬＥＤが点灯し、交換時期が到来した場合には点滅する交換サイン１７とが設けられている。
【００１７】
また、コントローラ７は、ＣＰＵ１８と、ＣＰＵ１８に接続された電源回路１９と、ファンを回転させるファンモータ２０の駆動回路２１と、紫外線ランプ１２のインバータ２２を駆動する駆動回路２３とから構成されている。また、ＣＰＵ１８には、運転スイッチがインターフェース２４を介して、風量サイン１６と交換サイン１７とがＬＥＤ出力駆動回路２５を介して接続されている。
【００１８】
上記の構成を有する空気清浄機１の動作について説明する。運転スイッチ１４が投入され、空気清浄機１が運転を開始すると、紫外線ランプ１２が点灯するとともに、ファンモータ２０によりファン８が回転し、吸込口４から空気が吸い込まれる。また、風量切替スイッチ１５で操作者が風量の設定を行うと、その風量に従ってファン８の回転数を調整し、吸込口４から吸い込まれる空気の量を調整する。吸込口４から吸い込まれた空気は、プレフィルタ１０により大きなほこりが除去され、集塵フィルタ１１により細かい塵埃や塵埃に付着した細菌類が高効率で捕集される。そして、集塵フィルタ１１の全体に紫外線ランプ１２からの紫外線が照射され、捕集された細菌類が効率的に殺菌される。さらに、光触媒フィルタ１３により臭気成分が除去される。このように、空気中の埃や塵埃が除去され、細菌類が殺菌され、脱臭されて清浄化された空気が、吹出口５から外部に吹き出される。
【００１９】
紫外線ランプ１２は、点灯後予め設定された時間を経過すると消灯し、また、予め設定された時間を経過すると再び点灯する。空気清浄機１の運転中は、このように紫外線ランプ１２は断続的に点灯するように制御される。紫外線ランプ１２の点灯時間は、紫外線ランプ１２の照度と、捕集された細菌類を殺菌するのに必要な細菌線量に基づいて決定される。また、紫外線ランプ１２を消灯させる時間は、空気清浄機１が使用される環境、例えば細菌類の量、温度や湿度などに基づいて任意に設定される。
【００２０】
集塵フィルタ１１は、本実施形態においては、風量弱のみで運転を継続した場合に１００００時間経過すると交換時期に到達し、その２００時間前から集塵フィルタ１１の交換サイン１７を点灯させ、交換を促す。そして、交換時期に到達しても交換が行われていない場合、集塵フィルタ１１の交換サイン１７を点滅させ、強制的に空気清浄機１の運転を停止する。紫外線ランプ１２は、風量にかかわらず１００００時間経過すると交換時期に到達し、その２００時間前から紫外線ランプ１２の交換サイン１７を点灯させ、交換を促す。そして、交換時期に到達しても交換が行われていない場合には、紫外線ランプ１２の交換サイン１７を点滅させ、強制的に空気清浄機１の運転を停止する。光触媒フィルタ１３は、風量にかかわらず２００００時間経過すると交換時期に到達し、その２００時間前から光触媒フィルタ１３の交換サイン１７を点灯させ、交換を促す。交換時期に到達しても交換が行われていない場合には、光触媒フィルタ１３の交換サイン１７を点滅させ、強制的に空気清浄機１の運転を停止する。
【００２１】
次に、図３に基づき集塵フィルタ１１、紫外線ランプ１２及び光触媒フィルタ１３の交換時期算出・報知処理について説明する。まず、運転スイッチ１４がＯＮにされ、装置が運転されるかどうかを判断する（Ｓ１）。運転スイッチ１４がＯＦＦにされた場合には（Ｓ１：ＮＯ）、処理を終了する。装置が運転される場合には（Ｓ１：ＹＥＳ）、紫外線ランプ１２の使用時間（Ｔｕｖｏｎ）と光触媒フィルタ１３の使用時間（Ｔｐｃｏｎ）をそれぞれインクリメントする（Ｓ２）。そして、紫外線ランプ１２の使用時間（Ｔｕｖｏｎ）が紫外線ランプ１２の交換時間（Ｔｕｖ）に達したかどうかを判断する（Ｓ３）。本実施形態では、紫外線ランプ１２の交換時間（Ｔｕｖ）を１００００時間に設定している。紫外線ランプ１２の使用時間（Ｔｕｖｏｎ）が紫外線ランプ１２の交換時間（Ｔｕｖ）に達している場合には（Ｓ３：ＹＥＳ）、すぐに紫外線ランプ１２の交換が必要なので、スイッチパネル６上の紫外線ランプ１２の交換サイン１７を点滅させる（Ｓ４）。
【００２２】
次に、紫外線ランプ１２の使用時間（Ｔｕｖｏｎ）が紫外線ランプ１２の交換時間（Ｔｕｖ）に達していない場合には（Ｓ３：ＮＯ）、紫外線ランプ１２の使用時間（Ｔｕｖｏｎ）が紫外線ランプ１２の使用時間（Ｔｕｖｏｎ）から要交換サイン表示時間（ｔｓ）を差し引いた時間に達しているかどうかを判断する（Ｓ５）。要交換サイン表示時間（ｔｓ）は、算出された交換時期から所定時間前から交換サイン１７の点灯を行うが、この交換サイン１７の点灯を行う時間を意味している。本実施形態では、要交換サイン表示時間（ｔｓ）は、２００時間に設定している。紫外線ランプ１２の使用時間（Ｔｕｖｏｎ）が紫外線ランプ１２の使用時間（Ｔｕｖｏｎ）から要交換サイン表示時間（ｔｓ）を差し引いた時間に達している場合には（Ｓ５：ＹＥＳ）、光触媒フィルタ１３の使用時間（Ｔｐｃｏｎ）が光触媒フィルタ１３の交換時間（Ｔｐｃｏｎ）から交換時期調整時間（ｔａ）を差し引いた時間に達しているかどうかを判断する（Ｓ６）。また、Ｓ４で紫外線ランプ１２の交換サイン１７を点滅させた後も、同様に光触媒フィルタ１３の使用時間（Ｔｐｃｏｎ）が光触媒フィルタ１３の交換時間（Ｔｐｃｏｎ）から交換時期調整時間（ｔａ）を差し引いた時間に達しているかどうかを判断する（Ｓ６）。
【００２３】
集塵フィルタ１１、紫外線ランプ１２、光触媒フィルタ１３の交換時期が所定時間内に到来する場合には、最も早く交換時期が到来するものに合わせて交換サイン１７を点灯させるようにしているが、この所定時間を交換時期調整時間（ｔａ）と称している。本実施形態では、交換時期調整時間（ｔａ）は５００時間に設定している。例えば、集塵フィルタの交換時期が２００時間後に到来し、紫外線ランプ１２の交換時期が３００時間後に到来する場合、紫外線ランプ１２の交換サイン１７は要交換サイン表示時間である２００時間に達していないので本来は点灯しないが、メンテナンスの手間を省くため、両方の交換サイン１７を点灯しておき、一度に交換できるようにするものである。
【００２４】
光触媒フィルタ１３の使用時間（Ｔｐｃｏｎ）が光触媒フィルタ１３の交換時間（Ｔｐｃ）から交換時期調整時間（ｔａ）を差し引いた時間に達している場合には（Ｓ６：ＹＥＳ）、光触媒フィルタ１３の交換サイン１７を点灯させる（Ｓ７）。次に、Ｓ７で光触媒フィルタ１３の交換サイン１７を点灯した後、又は、光触媒フィルタ１３の使用時間（Ｔｐｃｏｎ）が光触媒フィルタ１３の交換時間（Ｔｐｃ）から交換時期調整時間（ｔａ）を差し引いた時間に達していない場合には（Ｓ６：ＮＯ）、集塵フィルタ補正後使用時間（ＴＦ）が、集塵フィルタ交換時間（ＴＬ）から交換時期調整時間（ｔａ）を差し引いた時間に達しているかどうかを判断する（Ｓ８）。集塵フィルタ補正後使用時間（ＴＦ）は、指定された風量における運転時間を風量弱における運転時間に換算して算出したものであり、後述のＳ３８で計算される。集塵フィルタ１１を交換する必要があるかどうかは累積した捕集塵埃数によるが、時間当たりの捕集塵埃数は風量によって異なるため、本実施形態では、風量ごとの運転時間を風量弱における運転時間に換算し、これを補正後使用時間として使用している。これにより、捕集塵埃数の多少に応じて集塵フィルタ１１の交換時期を調整し、性能低下の影響を抑えることができる。
【００２５】
集塵フィルタ補正後使用時間（ＴＦ）が、集塵フィルタ交換時間（ＴＬ）から交換時期調整時間（ｔａ）を差し引いた時間に達している場合には（Ｓ８：ＹＥＳ）、集塵フィルタ１１の交換サイン１７を点灯させる（Ｓ９）。次に、Ｓ９で集塵フィルタ１１の交換サイン１７を点灯させた後、又は、集塵フィルタ補正後使用時間（ＴＦ）が、集塵フィルタ交換時間（ＴＬ）から交換時期調整時間（ｔａ）を差し引いた時間に達していない場合には（Ｓ８：ＮＯ）、再び紫外線ランプ１２の使用時間（Ｔｕｖｏｎ）が紫外線ランプ１２の交換時間（Ｔｕｖ）に達したかどうかを判断する（Ｓ１０）。紫外線ランプ１２の使用時間（Ｔｕｖｏｎ）が紫外線ランプ１２の交換時間（Ｔｕｖ）に達している場合には（Ｓ１０：ＹＥＳ）、すぐに紫外線ランプ１２を交換させて性能を確保するため、空気清浄機１の運転を強制的に停止させる（Ｓ２９）。紫外線ランプ１２の使用時間（Ｔｕｖｏｎ）が紫外線ランプ１２の交換時間（Ｔｕｖ）に達していない場合には（Ｓ１０：ＮＯ）、紫外線ランプ１２の交換サイン１７を点灯させる（Ｓ１１）。Ｓ１１の時点では、紫外線ランプ１２は交換時期が２００時間内に到来するため交換サイン１７が点灯しており、光触媒フィルタ１３と集塵フィルタ１１の交換サイン１７は、５００時間以内に交換時期が到来する場合には点灯していることになる。
【００２６】
Ｓ１１で紫外線ランプ１２の交換サイン１７を点灯後、又は、紫外線ランプ１２の使用時間（Ｔｕｖｏｎ）が紫外線ランプ１２の交換時間（Ｔｕｖ）から要交換サイン表示時間（ｔｓ）を差し引いた時間に達していない場合には（Ｓ５：ＮＯ）、光触媒フィルタ１３の使用時間（Ｔｐｃｏｎ）が光触媒フィルタ１３の交換時間（Ｔｐｃ）に達しているかどうかを判断する（Ｓ１２）。光触媒フィルタ１３の使用時間（Ｔｐｃｏｎ）が光触媒フィルタ１３の交換時間（Ｔｐｃ）に達している場合には（Ｓ１２：ＹＥＳ）、光触媒フィルタ１３の交換サイン１７を点滅させる（Ｓ１３）。光触媒フィルタ１３の使用時間（Ｔｐｃｏｎ）が光触媒フィルタ１３の交換時間（Ｔｐｃ）に達していない場合には（Ｓ１２：ＮＯ）、光触媒フィルタ１３の使用時間（Ｔｐｃｏｎ）が光触媒フィルタ１３の交換時間（Ｔｐｃ）から要交換サイン表示時間（ｔｓ）を差し引いた時間に達しているかどうかを判断する（Ｓ２０）。
【００２７】
光触媒フィルタ１３の使用時間（Ｔｐｃｏｎ）が光触媒フィルタ１３の交換時間（Ｔｐｃ）から要交換サイン表示時間（ｔｓ）を差し引いた時間に達している場合（Ｓ２０：ＹＥＳ）、又は、Ｓ１３で光触媒フィルタ１３の交換サイン１７を点滅させた後には、紫外線ランプ１２の使用時間（Ｔｕｖｏｎ）が紫外線ランプ１２の交換時間（Ｔｕｖ）から交換時期調整時間（ｔａ）を差し引いた時間に達しているかどうかを判断する（Ｓ１４）。紫外線ランプ１２の使用時間（Ｔｕｖｏｎ）が紫外線ランプ１２の交換時間（Ｔｕｖ）から交換時期調整時間（ｔａ）を差し引いた時間に達している場合には（Ｓ１４：ＹＥＳ）、紫外線ランプ１２の交換サイン１７を点灯する（Ｓ１５）。
【００２８】
Ｓ１５で紫外線ランプ１２の交換サイン１７を点灯後、又は、紫外線ランプ１２の使用時間（Ｔｕｖｏｎ）が紫外線ランプ１２の交換時間（Ｔｕｖ）から紫外線ランプ１２の交換時間（Ｔｕｖ）から交換時期調整時間（ｔａ）を差し引いた時間に達していない場合には（Ｓ１４：ＮＯ）、集塵フィルタ補正後使用時間（ＴＦ）が、集塵フィルタ交換時間（ＴＬ）から交換時期調整時間（ｔａ）を差し引いた時間に達しているかどうかを判断する（Ｓ１６）。集塵フィルタ補正後使用時間（ＴＦ）が、集塵フィルタ交換時間（ＴＬ）から交換時期調整時間（ｔａ）を差し引いた時間に達している場合には（Ｓ１６：ＹＥＳ）、集塵フィルタ１１の交換サイン１７を点灯する（Ｓ１７）。
【００２９】
Ｓ１７で集塵フィルタ１１の交換サイン１７を点灯後、又は、集塵フィルタ補正後使用時間（ＴＦ）が集塵フィルタ交換時間（ＴＬ）から交換時期調整時間（ｔａ）を差し引いた時間に達していない場合には（Ｓ１６：ＮＯ）、再び光触媒フィルタ１３の使用時間（Ｔｐｃｏｎ）が光触媒フィルタ１３の交換時間（Ｔｐｃ）に達しているかどうかを判断する（Ｓ１８）。光触媒フィルタ１３の使用時間（Ｔｐｃｏｎ）が光触媒フィルタ１３の交換時間（Ｔｐｃ）に達している場合には（Ｓ１８：ＹＥＳ）、すぐに光触媒フィルタ１３を交換させて性能を確保するため、空気清浄機１の運転を強制的に停止させる（Ｓ２９）。光触媒フィルタ１３の使用時間（Ｔｐｃｏｎ）が光触媒フィルタ１３の交換時間（Ｔｐｃ）に達していない場合には（Ｓ１８：ＮＯ）、光触媒フィルタ１３の交換サイン１７を点灯させる（Ｓ１９）。Ｓ１９の時点では、光触媒フィルタ１３は交換時期が２００時間内に到来するため交換サイン１７が点灯しており、紫外線ランプ１２と集塵フィルタ１１の交換サイン１７は、５００時間以内に交換時期が到来する場合には点灯していることになる。
【００３０】
Ｓ１９で光触媒フィルタ１３の交換サイン１７を点灯後、又は、光触媒フィルタ１３の使用時間（Ｔｐｃｏｎ）が光触媒フィルタ１３の交換時間（Ｔｐｃ）から要交換サイン表示時間（ｔｓ）を差し引いた時間に達していない場合（Ｓ２０：ＮＯ）、集塵フィルタ補正後使用時間（ＴＦ）が、集塵フィルタ交換時間（ＴＬ）に達しているかどうかを判断する（Ｓ２１）。
【００３１】
集塵フィルタ補正後使用時間（ＴＦ）が、集塵フィルタ交換時間（ＴＬ）に達していない場合（Ｓ２１：ＮＯ）、集塵フィルタ補正後使用時間（ＴＦ）が、集塵フィルタ交換時間（ＴＬ）から要交換サイン表示時間（ｔｓ）を差し引いた時間に達しているかどうかを判断する（Ｓ２２）。集塵フィルタ補正後使用時間（ＴＦ）が、集塵フィルタ交換時間（ＴＬ）に達している場合（Ｓ２１：ＹＥＳ）、集塵フィルタ１１の交換サイン１７を点滅させる（Ｓ２３）。
【００３２】
Ｓ２３で集塵フィルタ１１の交換サイン１７を点滅させた後、又は、集塵フィルタ補正後使用時間（ＴＦ）が、集塵フィルタ交換時間（ＴＬ）から要交換サイン表示時間（ｔｓ）を差し引いた時間に達している場合（Ｓ２２：ＹＥＳ）、紫外線ランプ１２の使用時間（Ｔｕｖｏｎ）が紫外線ランプ１２の交換時間（Ｔｕｖ）から交換時期調整時間（ｔａ）を差し引いた時間に達しているかどうかを判断する（Ｓ２４）。紫外線ランプ１２の使用時間（Ｔｕｖｏｎ）が紫外線ランプ１２の交換時間（Ｔｕｖ）から交換時期調整時間（ｔａ）を差し引いた時間に達している場合には（Ｓ２４：ＹＥＳ）、紫外線ランプ１２の交換サイン１７を点灯する（Ｓ２５）。
【００３３】
Ｓ２５で紫外線ランプ１２の交換サイン１７を点灯後、又は、紫外線ランプ１２の使用時間（Ｔｕｖｏｎ）が紫外線ランプ１２の交換時間（Ｔｕｖ）から交換時期調整時間（ｔａ）を差し引いた時間に達していない場合には（Ｓ２４：ＮＯ）、光触媒フィルタ１３の使用時間（Ｔｐｃｏｎ）が光触媒フィルタ１３の交換時間（Ｔｐｃ）から交換時期調整時間（ｔａ）を差し引いた時間に達しているかどうかを判断する（Ｓ２６）。光触媒フィルタ１３の使用時間（Ｔｐｃｏｎ）が光触媒フィルタ１３の交換時間（Ｔｐｃ）から交換時期調整時間（ｔａ）を差し引いた時間に達している場合には（Ｓ２６：ＹＥＳ）、光触媒フィルタ１３の交換サイン１７を点灯させる（Ｓ２７）。
【００３４】
次に、Ｓ２７で光触媒フィルタ１３の交換サイン１７を点灯した後、又は、光触媒フィルタ１３の使用時間（Ｔｐｃｏｎ）が光触媒フィルタ１３の交換時間（Ｔｐｃ）から交換時期調整時間（ｔａ）を差し引いた時間に達していない場合には（Ｓ２６：ＮＯ）、集塵フィルタ補正後使用時間（ＴＦ）が、集塵フィルタ交換時間（ＴＬ）に達しているかどうかを再び判断する（Ｓ２８）。集塵フィルタ補正後使用時間（ＴＦ）が、集塵フィルタ交換時間（ＴＬ）に達している場合（Ｓ２１：ＹＥＳ）、すぐに集塵フィルタ１１を交換させて性能を確保するため、空気清浄機１の運転を強制的に停止させる（Ｓ２９）。
【００３５】
集塵フィルタ補正後使用時間（ＴＦ）が、集塵フィルタ交換時間（ＴＬ）に達していない場合（Ｓ２１：ＮＯ）、集塵フィルタ１１の交換サイン１７を点灯させる（Ｓ３０）。そして、集塵フィルタ補正後使用時間（ＴＦ）をインクリメントして（Ｓ３１）、処理を終了する。ここでは、集塵フィルタ１１の交換サイン１７が点灯しているため、通常Ｓ３８で行うような補正後使用時間の計算を行わず、運転時間に基づいて集塵フィルタ１１の使用時間の算出を行うようにしている。従って、風量に応じて交換時期が可変にならないため、操作者が交換時期の予測を立てやすくなっている。この時点では、集塵フィルタ１１は交換時期が２００時間内に到来するため交換サイン１７が点灯しており、紫外線ランプ１２と光触媒フィルタ１３の交換サイン１７は、５００時間以内に交換時期が到来する場合には点灯していることになる。
【００３６】
集塵フィルタ補正後使用時間（ＴＦ）が、集塵フィルタ交換時間（ＴＬ）から要交換サイン表示時間（ｔｓ）を差し引いた時間に達していない場合（Ｓ２２：ＮＯ）、現在の風量が弱かどうかを判断する（Ｓ３２）。風量が弱であれば（Ｓ３２：ＹＥＳ）、風量弱（ＦＬ）での運転時間（ｔＬ）をインクリメントして（Ｓ３３）、補正後使用時間（ＴＦ）の計算を行う（Ｓ３８）。風量が弱でなければ（Ｓ３２：ＮＯ）、現在の風量が中かどうかを判断する（Ｓ３４）。風量が中であれば（Ｓ３４：ＹＥＳ）、風量中（ＦＭ）での運転時間（ｔＭ）をインクリメントして（Ｓ３５）、補正後使用時間（ＴＦ）の計算を行う（Ｓ３８）。風量が中でなければ（Ｓ３４：ＮＯ）、現在の風量が強かどうかを判断する（Ｓ３６）。風量が強であれば（Ｓ３６：ＹＥＳ）、風量強（ＦＨ）での運転時間（ｔＨ）をインクリメントして（Ｓ３７）、補正後使用時間（ＴＦ）の計算を行う（Ｓ３８）。
【００３７】
補正後使用時間（ＴＦ）の計算は、強中弱それぞれの風量での運転時間を風量弱（ＦＬ）での運転時間に換算するものであり、ＴＦ＝（ＦＨ／ＦＬ）＊ｔＨ＋（ＦＭ／ＦＬ）＊ｔＭ＋（ＦＬ／ＦＬ）＊ｔＬの計算式で求められる。例えば、本実施形態においては風量弱（ＦＬ）の風量が毎分２立方メートル、風量中（ＦＭ）の風量が毎分３立方メートル、風量強（ＦＨ）での風量が毎分４立方メートルに設定している。集塵フィルタ１１の交換時期は、風量弱（ＦＬ）での運転時間が１００００時間に達したときに設定されているので、例えば風量強（ＦＨ）でずっと継続して運転すると、５０００時間で交換時期が到来することになる。
【００３８】
以上説明したように、集塵フィルタ１１の交換時期は、捕集塵埃数を反映させるために、強中弱それぞれの風量での運転時間を風量弱の運転時間に換算した上で算出される。従って、運転時間が短くても風量が強い場合には交換時期を早めて集塵フィルタ１１の性能を確保することができる。また、集塵フィルタ１１の交換サイン１７が点灯している場合には、補正後使用時間の計算を行わず、運転時間に基づいて集塵フィルタ１１の使用時間の算出を行うようにしているため、風量に応じて交換時期が可変にならないため、操作者が交換時期の予測を立てやすくなっている。また、集塵フィルタ１１、紫外線ランプ１２、光触媒フィルタ１３の各交換時期がある程度接近している場合には、要交換サイン表示時間に満たなくても交換サイン１７を点灯させ、メンテナンスの省力化を図ることができる。
【００３９】
【発明の効果】
上記説明から明らかなように、請求項１に記載の空気清浄機によれば、集塵フィルタ交換時期算出手段が、集塵フィルタを交換すべき時期の算出を、空気清浄機を通過する空気の時間当たりの風量とその風量での運転時間に基づいて行う。従って、風量の強弱に左右される集塵フィルタの捕集塵埃数を交換時期に反映させることができ、適切な圧損レベルで集塵フィルタの交換を行うことができる。
【００４０】
請求項２に記載の空気清浄機によれば、請求項１に記載の発明の効果に加え、交換時期が到来した時には空気清浄の性能が低下しているため装置の運転を停止させる。また、交換時期到来の報知を行っている期間中は、風量に基づく交換時期の算出を行わず、運転時間のみに基づいて交換時期を算出する。従って、報知期間中は交換時期が風量により可変にならないため、操作者は交換時期の予測が立てやすく、適切な時期にフィルタ交換等のメンテナンスを行うことができる。
【００４１】
請求項３に記載の空気清浄機によれば、請求項１又は２に記載の発明の効果に加え、紫外線ランプや脱臭フィルタも定期的に交換が予定される消耗品であるため、可変である集塵フィルタの交換時期に他の交換時期が近い場合には、個々に交換時期の報知を行うのでなく、近いものをまとめて報知することにより、メンテナンスの手間と費用を抑えることができる。
【図面の簡単な説明】
【図１】空気清浄機の概略を示した断面図である。
【図２】空気清浄機の制御系の構成を示したブロック図である。
【図３】
集塵フィルタ、紫外線ランプ及び光触媒フィルタの交換時期算出・報知処理のフローチャートである。
【符号の説明】
１　　　空気清浄機
２　　　筐体
３　　　正面パネル
４　　　吸込口
５　　　吹出口
６　　　スイッチパネル
７　　　コントローラ
８　　　ファン
９　　　空気通路
１０　　　プレフィルタ
１１　　　集塵フィルタ
１２　　　紫外線ランプ
１３　　　光触媒フィルタ（脱臭フィルタ）
１４　　　運転スイッチ
１５　　　風量切替スイッチ
１６　　　風量サイン
１７　　　交換サイン
１８　　　ＣＰＵ
１９　　　電源回路
２０　　　ファンモータ
２１　　　駆動回路
２２　　　インバータ
２３　　　駆動回路
２４　　　インターフェース
２５　　　ＬＥＤ出力駆動回路
【図１】
2004033648.tif 000003
【図２】
2004033648.tif 000004
【図３】
2004033648.tif 000005